(57)【要約】【課題】  本発明は、スローライブ撮影において、シャッタチャンスを逃さずに所望の画像を取得しやすくする手段を提供する。【解決手段】  撮像装置は、撮像素子と、画像取得部と、評価値算出部と、表示制御部とを備える。撮像素子は、被写体像を撮像し、画像を生成する。画像取得部は、撮像素子が第１の時間間隔で時系列に生成する複数の画像を取得する。評価値算出部は、画像取得部が取得した複数の画像を解析することにより、画像毎の評価値を算出する。表示制御部は、複数の画像を第１の時間間隔よりも長い第２の時間間隔で表示装置に順次表示させると共に、現在表示中の画像の評価値の評価結果、及び／又は、その画像よりも後の時刻に取得された画像を含む各々の評価値の評価結果を表示装置に表示させる。【選択図】    図１
2013179548.tif 000002
【特許請求の範囲】
【請求項１】
被写体像を撮像し、画像を生成する撮像素子と、
前記撮像素子が第１の時間間隔で時系列に生成する複数の前記画像を取得する画像取得部と、
前記画像取得部が取得した複数の前記画像を解析することにより、前記画像毎の評価値を算出する評価値算出部と、
複数の前記画像を前記第１の時間間隔よりも長い第２の時間間隔で表示装置に順次表示させると共に、現在表示中の画像の前記評価値の評価結果、及び／又は、該画像よりも後の時刻に取得された画像を含む各々の前記評価値の評価結果を前記表示装置に表示させる表示制御部と、
を備えることを特徴とする撮像装置。
【請求項２】
請求項１に記載の撮像装置において、
記録用の画像を記録する指示入力を受け付ける受付部と、
前記受付部が前記指示入力を受け付けた時刻に基づいて、前記表示制御部が前記時刻に前記表示装置に表示していた画像を前記記録用の画像として記録処理する記録処理部とをさらに備えることを特徴とする撮像装置。
【請求項３】
請求項２に記載の撮像装置において、
前記表示制御部が前記時刻に前記表示装置に表示していた画像の前後の何れかに前記評価値のより高い画像が存在していた場合には、前記記録処理部は、前記評価値のより高い画像を前記記録用の画像として記録処理することを特徴とする撮像装置。
【請求項４】
請求項１から請求項３の何れか１項に記載の撮像装置において、
前記評価値算出部は、前記評価値として、ぼけ状態と、露出状態と、被写体の顔の状態とのうちの少なくとも１つを評価することを特徴とする撮像装置。
【請求項５】
請求項４に記載の撮像装置において、
前記評価値算出部は、複数の種類の前記評価値に基づく総合評価を画像毎に算出し、
前記表示制御部は、前記総合評価の評価結果を前記表示装置に表示させることを特徴とする撮像装置。
【請求項６】
請求項１から請求項５の何れか１項に記載の撮像装置において、
前記表示制御部は、前記画像毎の前記評価結果を視覚に訴える表示態様で前記表示装置に表示させることを特徴とする撮像装置。
【請求項７】
請求項６に記載の撮像装置において、
前記表示制御部は、現在表示中の画像を囲む枠をさらに前記表示装置に重畳表示させると共に、前記評価結果に応じて、前記枠の色表示を変えることを特徴とする撮像装置。
【請求項８】
請求項１に記載の撮像装置において、
前記第２の時間間隔の設定をユーザ入力により受け付ける操作部材をさらに備え、
前記表示制御部は、前記ユーザ入力に応じて前記第２の時間間隔を変化させて、前記画像を表示装置に表示させることを特徴とする撮像装置。
【請求項９】
請求項２に記載の撮像装置において、
前記受付部を介して指の圧力を検出する圧力センサをさらに備え、
前記表示制御部は、前記圧力センサからの検知信号に応じて前記第２の時間間隔を変化させて、前記画像を表示装置に表示させることを特徴とする撮像装置。
【請求項１０】
被写体像を撮像し、画像を生成させる撮像処理と、
前記撮像素子が第１の時間間隔で時系列に生成する複数の前記画像を取得する画像取得処理と、
複数の前記画像を解析することにより、前記画像毎の評価値を算出する評価値算出処理と、
複数の前記画像を前記第１の時間間隔よりも長い第２の時間間隔で表示装置に順次表示させると共に、現在表示中の画像の前記評価値の評価結果、及び／又は、該画像よりも後の時刻に取得された画像を含む各々の前記評価値の評価結果を前記表示装置に表示させる表示制御処理と、
をコンピュータに実行させることを特徴とするプログラム。
【発明の詳細な説明】
【技術分野】
【０００１】
本発明は、撮像装置及びプログラムに関する。
【背景技術】
【０００２】
近年、撮像装置の一種である電子カメラにおいては、スローライブ撮影機能を搭載した機種が知られている（例えば、特許文献１参照）。上記のスローライブ撮影では、先ず、ユーザによる半押しの指示入力を受け付けた時点から、画像の一時記録を時系列に開始した後、被写体の動きを実際よりゆっくりと見せるスロー再生で一時記録した画像を表示モニタに表示させる。続いて、ユーザがスロー再生された画像を見ながら全押し操作すると、スローライブ撮影では、その全押し操作の時点で表示モニタに表示されている画像を本画像として撮影（記録）する。この場合、スローライブ撮影では、再生モードで上記の処理を行なうのではなく、撮影モードのまま、ユーザがシャッタを押す感覚で操作できるという特徴を有している。
【０００３】
したがって、ユーザが被写体の動きをスロー再生で見ながらシャッタチャンスを待つ場合、スローライブ撮影では、被写体の動きに応じて所望のタイミングでユーザが全押し操作を行なうことができる。
【先行技術文献】
【特許文献】
【０００４】
【特許文献１】特開２００６−１４０８９２号公報
【発明の概要】
【発明が解決しようとする課題】
【０００５】
しかしながら、上記の従来技術の電子カメラは、ユーザが被写体の動きをスロー再生で見ながらシャッタチャンスを待つ場合、例えば、ぼけ状態、露出状態、人物の瞼の開閉状態等に関し、表示モニタから把握しづらいという問題点を有している。また、上記の従来技術の電子カメラでは、スロー再生している場合、ユーザがもっと良い画像が表示されるだろうとシャッタチャンスを待っていた場合、結局良い画像が表示されず、シャッタチャンスを逃してしまうという問題点を有している。
【０００６】
そこで、本発明は、上記事情を鑑み、スローライブ撮影において、シャッタチャンスを逃さずに所望の画像を取得しやすくする手段を提供することを目的とする。
【課題を解決するための手段】
【０００７】
第１の発明に係る撮像装置は、撮像素子と、画像取得部と、評価値算出部と、表示制御部とを備える。撮像素子は、被写体像を撮像し、画像を生成する。画像取得部は、撮像素子が第１の時間間隔で時系列に生成する複数の画像を取得する。評価値算出部は、画像取得部が取得した複数の画像を解析することにより、画像毎の評価値を算出する。表示制御部は、複数の画像を第１の時間間隔よりも長い第２の時間間隔で表示装置に順次表示させると共に、現在表示中の画像の評価値の評価結果、及び／又は、その画像よりも後の時刻に取得された画像を含む各々の評価値の評価結果を表示装置に表示させる。
【０００８】
第２の発明は、第１の発明において、受付部と、記録処理部とをさらに備える。受付部は、記録用の画像を記録する指示入力を受け付ける。記録処理部は、受付部が指示入力を受け付けた時刻に基づいて、表示制御部がその時刻に表示装置に表示していた画像を記録用の画像として記録処理する。
【０００９】
第３の発明は、第２の発明において、表示制御部がその時刻に表示装置に表示していた画像の前後の何れかに評価値のより高い画像が存在していた場合には、記録処理部は、評価値のより高い画像を記録用の画像として記録処理する。
【００１０】
第４の発明は、第１から第３の何れか１の発明において、評価値算出部は、評価値として、ぼけ状態と、露出状態と、被写体の顔の状態とのうちの少なくとも１つを評価する。
【００１１】
第５の発明は、第４の発明において、評価値算出部は、複数の種類の評価値に基づく総合評価を画像毎に算出する。表示制御部は、総合評価の評価結果を表示装置に表示させる。
【００１２】
第６の発明は、第１から第５の何れか１の発明において、表示制御部は、画像毎の評価結果を視覚に訴える表示態様で表示装置に表示させる。
【００１３】
第７の発明は、第６の発明において、表示制御部は、現在表示中の画像を囲む枠をさらに表示装置に重畳表示させると共に、評価結果に応じて、枠の色表示を変える。
【００１４】
第８の発明は、第１の発明において、操作部材をさらに備える。操作部材は、第２の時間間隔の設定をユーザ入力により受け付ける。表示制御部は、ユーザ入力に応じて第２の時間間隔を変化させて、画像を表示装置に表示させる。
【００１５】
第９の発明は、第２の発明において、受付部は、指の圧力を検出する圧力センサを備える。表示制御部は、圧力センサからの検知信号に応じて第２の時間間隔を変化させて、画像を表示装置に表示させる。
【００１６】
第１０の発明に係るプログラムは、撮像処理と、画像取得処理と、評価値算出処理と、表示制御処理とをコンピュータに実行させる。撮像処理は、被写体像を撮像し、画像を生成させる。画像取得処理は、撮像素子が第１の時間間隔で時系列に生成する複数の画像を取得する。評価値算出処理は、複数の画像を解析することにより、画像毎の評価値を算出する。表示制御処理は、複数の画像を第１の時間間隔よりも長い第２の時間間隔で表示装置に順次表示させると共に、現在表示中の画像の評価値の評価結果、及び／又は、その画像よりも後の時刻に取得された画像を含む各々の評価値の評価結果を表示装置に表示させる。
【発明の効果】
【００１７】
本発明の撮像装置は、スローライブ撮影において、シャッタチャンスを逃さずに所望の画像を取得しやすくする手段を提供できる。
【図面の簡単な説明】
【００１８】
【図１】本実施形態の電子カメラ１の構成例を説明するブロック図
【図２】本実施形態の電子カメラ１の背面図
【図３】スローライブモードのスロー再生処理の一例を示すフローチャート
【図４】スローライブモードのスロー再生処理の一例を説明する図
【図５】スローライブモードの撮影処理の一例を示すフローチャート
【図６】スロー表示用バッファに記録されている画像の一例を示す図
【図７】表示制御部２４ｄによる表示処理の一例を説明する図
【図８】表示制御部２４ｄによる表示処理の一例を説明する図
【図９】表示制御部２４ｄによる表示処理の一例を説明する図
【図１０】表示制御部２４ｄによる表示処理の一例を説明する図
【図１１】表示制御部２４ｄによる表示処理の一例を説明する図
【図１２】スローライブモードにおけるスロー再生の一例を説明する図
【図１３】レリーズ釦を利用した場合のスロー再生の概念図
【発明を実施するための形態】
【００１９】
以下、図面に基づいて本発明の実施の形態を詳細に説明する。ここでは、本発明の撮像装置の一実施形態である電子カメラを例に取り上げて説明する。
【００２０】
図１は、本実施形態の電子カメラ１の構成例を説明するブロック図である。ここで、本実施形態の電子カメラ１は、上記のスローライブ撮影の撮影モード（以下「スローライブモード」という）を有する。本実施形態のスローライブモードの具体的な内容については、後述する。
【００２１】
電子カメラ１は、図１に示す通り、撮影光学系１０と、レンズ駆動部１１と、絞り１２と、絞り駆動部１３と、撮像素子１４と、信号処理部１５と、ＲＡＭ（Ｒａｎｄｏｍ  Ａｃｃｅｓｓ  Ｍｅｍｏｒｙ）１６と、画像処理部１７と、フラッシュメモリ１８と、記録インターフェース部（以下「記録Ｉ／Ｆ部」という）１９と、表示モニタ２０と、タッチパネル２１と、レリーズ釦２２と、操作部２３と、ＣＰＵ（Ｃｅｎｔｒａｌ  Ｐｒｏｃｅｓｓｉｎｇ  Ｕｎｉｔ）２４と、バス２５とを備える。
【００２２】
このうち、信号処理部１５、ＲＡＭ１６、画像処理部１７、フラッシュメモリ１８、記録Ｉ／Ｆ部１９、表示モニタ２０及びＣＰＵ２４は、バス２５を介して互いに接続されている。
【００２３】
撮影光学系１０は、ズームレンズとフォーカスレンズとを含む複数のレンズ群で構成されている。レンズ駆動部１１は、撮影光学系１０内でズームレンズやフォーカスレンズの位置をＣＰＵ２４の指示に応じて光軸Ｌ方向に調整する。なお、簡単のため、図１では、撮影光学系１０を１枚のレンズとして図示する。
【００２４】
絞り１２は、撮像素子１４に入射する単位時間当たりの光量を調節する。絞り駆動部１３は、絞り１２の開口量をＣＰＵ２４の指示に応じて調整する。
【００２５】
撮像素子１４は、撮影光学系１０及び絞り１２を通過した被写体の像を撮像し、アナログの画像信号（画像）を生成する。そして、撮像素子１４が出力するアナログの画像信号は、信号処理部１５に入力される。なお、撮像素子１４の撮像面には、Ｒ（赤）、Ｇ（緑）Ｂ（青）の３種類のカラーフィルタが例えばベイヤー配列で配置されている。また、撮像素子１４の電荷蓄積時間及び画像信号の読み出しは、タイミングジェネレータ（不図示）によって制御される。
【００２６】
ここで、撮像素子１４は、レリーズ釦２２の全押し操作に応答して記録用の画像（本画像）を撮像する。また、撮像素子１４は、撮影待機時にも所定間隔毎に構図確認用の画像（スルー画像）を連続的に撮像する。
【００２７】
なお、撮像素子１４は、ＣＣＤ（Ｃｈａｒｇｅ  Ｃｏｕｐｌｅｄ  Ｄｅｖｉｃｅ）型、又は、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のイメージセンサである。
【００２８】
信号処理部１５は、撮像素子１４が出力する画像信号に対してアナログ信号処理を施すアナログフロントエンド回路（ＡＦＥ）と、そのＡＦＥでアナログ信号処理が施された画像信号に対して、デジタル信号処理を施すデジタルフロントエンド回路（ＤＦＥ）とを有する。信号処理部１５のＡＦＥは、アナログの画像信号に対して相関二重サンプリングやゲイン調整をした後、アナログの画像信号をデジタルの画像信号に変換する（Ａ／Ｄ変換）処理等を行なう。ここで、信号処理部１５のＡＦＥは、画像信号のゲインを調整することで、ＩＳＯ感度に相当する撮像感度を調整できる。
【００２９】
また、信号処理部１５のＤＦＥは、Ａ／Ｄ変換されたデジタルの画像信号の補正処理等を行なう。この信号処理部１５が出力する画像信号は、ＲＧＢ信号の画像データとしてＲＡＭ１６に一時的に記録される。ＲＡＭ１６は、ＣＰＵ２４や画像処理部１７の処理のための作業領域として、画像データを一時的に記録するバッファメモリである。ＣＰＵ２４は、撮影待機時においてスルー画像の画像データをＲＡＭ１６に一時的に記録する。また、ＲＡＭ１６の一部の領域には、スローライブ撮影で得られた複数の画像の画像データを記録するためのバッファメモリ（以下「スロー表示用バッファ」という）が割り当てられている。後述する画像取得部２４ａは、これらの複数の画像（画像データ）をＲＡＭ１６のスロー表示用バッファに記録する。なお、スロー表示用バッファは、例えば画像１００枚分に相当する記憶容量を有している。
【００３０】
画像処理部１７は、ＲＡＭ１６に記録されている画像データを読み出し、必要に応じて各種の画像処理（例えば、色補間処理、ホワイトバランス等）を施す。
【００３１】
フラッシュメモリ１８は、電子カメラ１の制御を行なうプログラム等を予め記憶している不揮発性のメモリである。
【００３２】
記録Ｉ／Ｆ部１９には、着脱自在の記録媒体３０を接続するためのコネクタ（不図示）が形成されている。そして、記録Ｉ／Ｆ部１９は、そのコネクタに接続された記録媒体３０にアクセスして画像の記録処理等を行なう。この記録媒体３０は、例えば、不揮発性のメモリカードである。図１では、コネクタに接続された後の記録媒体３０を示している。
【００３３】
表示モニタ２０は、例えば液晶表示媒体により構成される。表示モニタ２０は、ＣＰＵ２４の指示に応じて各種画像や電子カメラ１の操作メニュー等を表示する。
【００３４】
タッチパネル２１は、表示モニタ２０上に設けられたタッチパネル表面に接触した指先等の位置を検出する。そして、タッチパネル２１は、検出した位置情報をＣＰＵ２４に出力することで撮影者からの操作を受け付ける。レリーズ釦２２は、半押し操作（撮像の準備動作開始）の指示入力と全押し操作（撮像の動作開始）との指示入力とを受け付ける。操作部２３は、ユーザの操作を受け付ける複数の釦を有している。
【００３５】
図２は、本実施形態の電子カメラ１の背面図である。本実施形態の操作部２３は、広角ズーム釦２３ａと、望遠ズーム釦２３ｂと、モード選択釦２３ｃと、メニュー釦２３ｄと、選択・決定釦２３ｅと、電源釦２６とを含む。
【００３６】
広角ズーム釦２３ａは、焦点距離を広角側に変更し、望遠ズーム釦２３ｂは、焦点距離を望遠側に変更する。モード選択釦２３ｃは、撮影モード若しくは再生モードに切り替える操作をユーザから受け付ける。メニュー釦２３ｄは、メニュー画面を立ち上げるための操作をユーザから受け付ける。選択・決定釦２３ｅは、電子カメラ１の操作メニューにおける設定条件等の項目選択又は項目決定をユーザから受け付ける。ここで、選択・決定釦２３ｅは、決定釦２３ｆとダイヤル２３ｇとを有する。ダイヤル２３ｇの全体形状は、環状であって、ダイヤル２３ｇの内周側には決定釦２３ｆが配置されている。そして、ダイヤル２３ｇは、例えばメニュー画面等での項目選択の入力をユーザから受け付ける。また、決定釦２３ｆは、メニュー画面等での項目決定の入力をユーザから受け付ける。例えば、スローライブモードの開始する操作が決定釦２３ｆに割り当てられている。また、レリーズ釦２２と電源釦２６とは、図２に示す通り、電子カメラ１の筐体の上面に備えられている。
【００３７】
再び、図１の説明に戻り、ＣＰＵ２４は、各種演算及び電子カメラ１の制御を行なうプロセッサである。ＣＰＵ２４は、フラッシュメモリ１８に予め格納されたシーケンスプログラムを実行することにより、電子カメラ１の各部の制御等を行なう。また、ＣＰＵ２４は、時計機能を有し、レリーズ釦２２が全押しの指示入力を受け付けた時の時刻（以下「撮影開始時刻」という）を取得する。また、ＣＰＵ２４は、撮影開始時刻の際、表示モニタ２０に表示されている画像を選択する。
【００３８】
また、ＣＰＵ２４は、画像取得部２４ａと、顔認識部２４ｂと、評価値算出部２４ｃと、表示制御部２４ｄと、記録処理部２４ｅとしても機能する。
【００３９】
画像取得部２４ａは、撮像素子１４が第１の時間間隔で時系列に生成する複数の画像を取得する。具体的には、画像取得部２４ａは、第１の時間間隔として予め設定されたフレームレート（ｆｐｓ）で撮像素子１４が生成する複数の画像を、信号処理部１５を介して、ＲＡＭ１６に記録する一連の処理を制御する。これにより、ＲＡＭ１６には、撮像素子１４が生成する複数の画像が取得される。
【００４０】
なお、ＣＰＵ２４は、一例として、スローライブモードの開始する操作（例えば半押しの指示入力）を受け付けた後から第１の時間間隔で連写撮影を行なう。画像取得部２４ａは、撮像素子１４が生成する複数の画像をＲＡＭ１６のスロー表示用バッファに記録する。ここで、スロー表示用バッファは、ＦＩＦＯ（ファーストイン・ファーストアウト）方式のリングバッファとして機能する。これにより、画像取得部２４ａは、スロー表示用バッファの先頭アドレスから順次インクリメントされる書き込みポインタに従って画像データの書き込みを行なう。なお、画像取得部２４ａは、スロー表示用バッファの最終アドレスまで書き込みを行なった場合、先頭アドレスに戻って、新たな画像データを上書きして順次書き込みを行なう。
【００４１】
顔認識部２４ｂは、画像を解析して顔を認識する。具体的には、顔認識部２４ｂは、例えば、スルー画像から特徴点（特徴量）を抽出して顔領域（顔画像）、その顔領域の大きさ等を検出する顔検出処理を行なう。例えば、顔認識部２４ｂは、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔認識部２４ｂは、顔領域の位置情報を特定する。或いは、顔認識部２４ｂは、タッチパネル２１を介してユーザ入力により指定された領域を顔領域として抽出しても良い。また、顔認識部２４ｂは、上記の特徴点抽出処理に基づいて、顔の領域から瞼の開閉状態を検出する。また、顔認識部２４ｂは、上記の特徴点抽出処理に基づいて、笑顔等の表情を認識しても良い。
【００４２】
評価値算出部２４ｃは、画像取得部２４ａが取得した複数の画像を解析することにより、画像毎の評価値を算出する。具体的には、評価値算出部２４ｃは、評価値として、ぼけ状態、露出状態、被写体の顔の状態のうちの少なくとも１つを評価する。
（ぼけ状態の判定）
評価値算出部２４ｃは、ぼけ状態の評価値を算出する。例えば、評価値算出部２４ｃは、被写体のピント状態を評価値として算出する。具体的には、評価値算出部２４ｃは、ＲＡＭ１６のスロー表示用バッファから画像を読み出して被写体のピント状態を画像毎に解析する。なお、評価値算出部２４ｃは、公知のピント状態の検出方法の何れかを採用して良い。一例として、評価値算出部２４ｃは、顔認識部２４ｂが認識した顔における目の部分におけるエッジの状態を解析して、そのエッジの先鋭度からピント状態（合焦点）を評価値として算出する。ここで、本実施形態では、評価値が高いほど、ピント状態（合焦点）が良いこととする。
（露出状態の判定）
評価値算出部２４ｃは、露出状態の評価値を算出するため、例えば、被写体の露出状態を評価値として算出する。なお、評価値算出部２４ｃは、公知の露出状態の検出方法の何れかを採用して良い。一例として、評価値算出部２４ｃは、ＲＡＭ１６のスロー表示用バッファに記録されている画像を読み出し、画像信号に基づいて、撮影画面の明るさを検出する。すなわち、評価値算出部２４ｃは、撮影画面を複数の領域に分割してその領域毎に測光値を検出する多分割測光を行なう。例えば、評価値算出部２４ｃは、分割した領域毎にＲＧＢ信号の画像データを輝度信号（Ｙ信号）と、色差信号（Ｃｒ、Ｃｂ信号）の画像データに変換（ＹＣ変換）することで多分割測光を行なう。
【００４３】
ここで、評価値算出部２４ｃは、領域（ブロック）毎に輝度値（測光値）を積算する。そして、評価値算出部２４ｃは、撮影画面全体の明るさ（以下「ＡＥ評価値」という）を、輝度値に基づいて算出する。本実施形態では、評価値算出部２４ｃは、ＡＥ評価値に応じて、画面の明暗を判定する。
（顔の状態の判定）
評価値算出部２４ｃは、顔の状態の評価値を算出するため、例えば、被写体の顔における瞼の開閉度を評価値として算出する。具体的には、評価値算出部２４ｃは、顔認識部２４ｂの認識結果に基づいて、瞼が開いた状態（以下、「第１状態」という。）の画像を検出する。また、評価値算出部２４ｃは、第１状態より瞼が半分閉じた状態（以下、「第２状態」という。）の画像を検出する。さらに、評価値算出部２４ｃは、瞼が閉じた状態（以下、「第３状態」という。）の画像を検出する。
【００４４】
ここで、評価値算出部２４ｃは、瞼の開き具合を数値化して評価する。一例として、評価値算出部２４ｃは、第３状態（瞼が閉じた状態）を示す値をゼロ（０）とし、第２状態（瞼が半分閉じた状態）を示す値を５とし、第１状態（瞼が開いた状態）を示す値を１０として数値化する。なお、評価値算出部２４ｃは、瞼の開閉度を０から１０の間でさらに細かく数値化しても良い。
【００４５】
表示制御部２４ｄは、複数の画像を第１の時間間隔よりも長い第２の時間間隔で表示モニタ２０に順次表示させると共に、現在表示中の画像における評価値の評価結果を表示モニタ２０に表示させる。又は、表示制御部２４ｄは、複数の画像を第２の時間間隔で表示モニタ２０に順次表示させると共に、現在表示中の画像における評価値の評価結果と、その画像よりも後の時刻に取得された画像を含む各々の評価値の評価結果を表示モニタ２０に表示させる。この場合、表示制御部２４ｄは、予め設定した枚数の画像について評価結果を表示モニタ２０に表示させる。なお、一例として、３０コマ（枚）／秒で連写撮影をした場合、第１の時間間隔は、１／３０秒になるが、表示制御部２４ｄは、１コマ当たり１秒（第２の時間間隔）のコマ送りで画像を表示モニタ２０に表示させる。
【００４６】
記録処理部２４ｅは、撮影開始時刻に基づいて、表示制御部２４ｄがその撮影開始時刻に表示モニタ２０に表示していた画像を記録用の画像として記録処理する。
【００４７】
次に、スローライブモードにおける電子カメラ１の動作の一例について説明する。図３は、スローライブモードのスロー再生処理の一例を示すフローチャートである。図４は、スローライブモードのスロー再生処理の一例を説明する図である。図５は、スローライブモードの撮影処理の一例を示すフローチャートである。
【００４８】
先ず、スローライブモードのスロー再生処理を説明した後、撮影処理を説明する。本実施形態では、ＣＰＵ２４は、スロー再生処理と撮影処理とを独立に制御して行なう。
【００４９】
なお、ＣＰＵ２４は、フラッシュメモリ１８に記録されているスロー再生処理や撮影処理のプログラムを読み出して、図３、図５に示すフローの処理を行なう。ＣＰＵ２４は、スロー再生処理や撮影処理のプログラムを実行することにより、スローライブ撮影において、以下に説明する通り、シャッタチャンスを逃さずに所望の画像を取得しやすくする手段を提供できる。以下のフローの処理では、説明をわかりやすくするため、被写体を人物の顔とし、その被写体の瞬きを評価値として算出するケースを先ず例示する。
【００５０】
電子カメラ１の電源がオンされた後、ＣＰＵ２４は、スルー画像の取得を開始する。表示制御部２４ｄは、表示モニタ２０にスルー画像を表示させる。この状態で、操作部２３がスローライブモードの指示入力を受け付けた後、レリーズ釦２２が半押しの指示入力を受け付けると、ＣＰＵ２４は、スローライブモードの処理を開始する。
【００５１】
ここで、先ず、ＣＰＵ２４は、連写撮影を行なう。そして、ＣＰＵ２４の画像取得部２４ａは、連写撮影した画像をＲＡＭ１６のスロー表示用バッファに書き込む。具体的には、ＣＰＵ２４は、半押し時の自動露出やオートフォーカス等により得られた撮影パラメータに基づいて、タイミングジェネレータを介して、連写撮影を撮像素子１４に行なわせる。この場合、撮像素子１４は、予め設定されたフレームレートで画像を時系列に生成する。画像取得部２４ａは、書き込みポインタを参照して、それらの画像（画像データ）をスロー表示用バッファに順次記録する。
【００５２】
図４では、画像の書き込みとして、画像取得部２４ａは、時刻ｔを基準として、１枚目（ｔ＋０）、２枚目（ｔ＋１）、ｍ枚目（ｔ＋ｍ）というようにスロー表示用バッファに書き込む様子を例示している。
【００５３】
画像取得部２４ａがスロー再生処理が可能な枚数の画像の書き込みを行なうと、ＣＰＵ２４は、図３に示すフローの処理を開始する。
【００５４】
ステップＳ１０１：ＣＰＵ２４は、１枚の画像の読み出し処理を行なう。具体的には、先ず、１枚目（ｔ＋０）の画像（ｎ＝１枚目）を読み出す。そして、ＣＰＵ２４は、ステップＳ１０２の処理に移行する。
【００５５】
ステップＳ１０２：ＣＰＵ２４の評価値算出部２４ｃは、ｍ枚の画像の評価値を使った当該画像の評価値の算出処理を行なう。ここでは、本実施形態の特徴をわかりやすく説明するため、ＣＰＵ２４は、一例として、５枚（ｍ＝５）の画像（例えば、図４において、１枚目（ｔ＋０）の画像〜ｍ枚目（ｔ＋ｍ）の画像）を読み出すこととする。
【００５６】
図６は、スロー表示用バッファに記録されている画像の一例を示す図である。この例では、瞬きをしている人物Ｐ１を連写した画像を表している。ＣＰＵ２４は、５枚の画像をＲＡＭ１６の作業領域に読み出す。評価値算出部２４ｃは、読み出した枚数の画像の評価値の算出処理を行なう。
【００５７】
具体的には、先ず、顔認識部２４ｂは、顔領域を抽出する。そして、顔認識部２４ｂは、上記の特徴点抽出処理に基づいて、顔の領域から瞼の開閉状態を検出する。次に、評価値算出部２４ｃは、顔認識部２４ｂの認識結果に基づいて、瞼の開き具合を数値化して評価する。図６では、各々の画像に対しての評価値を示している。
【００５８】
ステップＳ１０３：ＣＰＵ２４の表示制御部２４ｄは、スロー再生及び表示処理を行なう。具体的には、表示制御部２４ｄは、図６に示すｎ枚目の画像（ｎ＝１から開始）を表示モニタ２０に表示させる。この場合、表示制御部２４ｄは、連写撮影の１枚当たりの時間間隔よりも長い時間間隔で、画像を表示モニタ２０に表示させる。一例として、表示制御部２４ｄは、１コマ当たり１秒のコマ送りで画像を表示モニタ２０に表示させる。
【００５９】
また、表示制御部２４ｄは、現在表示中の画像の評価値の評価結果と、その画像よりも後の時刻に取得された画像を含む各々の評価値の評価結果を表示モニタ２０に表示させる。一例として、表示制御部２４ｄは、評価値算出部２４ｃが評価した５枚の画像の評価値の評価結果を表示モニタ２０に表示させる。これにより、評価結果が表示モニタ２０に視覚的に表示されるので、ユーザは、どの画像の評価値が高いかについて直感的に把握しやすくなり、シャッタチャンスを逃さずに所望の画像を取得しやすくする。
【００６０】
図７は、表示制御部２４ｄによる表示処理の一例を説明する図である。図７では、表示制御部２４ｄは、表示モニタ２０上で表示枠Ｗ内に、ｎ（＝１）枚目の縮小画像を表示させる。この表示枠Ｗは、カラー表示により評価結果を視覚に訴えることができる。例えば、表示制御部２４ｄは、評価結果に応じて、表示枠Ｗを緑色、黄色、赤色の何れか１つの色でカラー表示をさせる。例えば、緑色は、第１状態を表しており、黄色は、第２状態を表しており、赤色は、第３状態を表している。
【００６１】
また、表示制御部２４ｄは、表示モニタ２０上に評価結果のグラフを表示させる。このグラフは、棒グラフであって、横軸は、１枚目から５枚目の画像を表しており、縦軸は、評価値を表している。また、図中の矢印は、現在表示中の画像を表している。したがって、ユーザは、現在表示中の画像（ｎ＝１）から、その画像よりも後の時刻に取得された画像（ｎ＝２〜５）の評価結果を視覚的に見ることができる。つまり、この棒グラフは、評価結果を視覚に訴えることができる。
【００６２】
ステップＳ１０４：ＣＰＵ２４は、次のスロー再生用の画像の有無を判定する。ステップＳ１０２で読み出した画像について、次の画像がある場合（ステップＳ１０４：Ｙｅｓ）、ＣＰＵ２４は、ステップＳ１０１の処理に戻る。そして、表示制御部２４ｄは、１枚の画像におけるスロー再生の時間が終了するに伴い、次の画像のスロー再生を開始する。一方、次の画像がない場合（ステップＳ１０４：Ｎｏ）、ＣＰＵ２４は、図３に示すフローの処理を終了させる。
【００６３】
なお、後述する撮影処理により記録用の画像が記録された場合、ＣＰＵ２４は、図３に示すフローの処理を終了させ、表示制御部２４ｄは、記録用の画像を表示モニタ２０の全画面に表示させる。
【００６４】
次に、スローライブモードの撮影処理の一例を説明する。上述した通り、レリーズ釦２２が半押しの指示入力を受け付けると、図５に示すフローの処理を開始させる。
【００６５】
ステップＳ２０１：ＣＰＵ２４は、レリーズ釦２２からの全押しの指示入力を受け付けたか否かを判定する。全押しの指示入力を受け付けていない場合（ステップＳ２０１：Ｎｏ）、ＣＰＵ２４は、ステップＳ２０１の処理を繰り返して、全押しの指示入力待ちの状態となる。一方、全押しの指示入力を受け付けた場合（ステップＳ２０１：Ｎｏ）、ＣＰＵ２４は、ステップＳ２０２の処理に移行する。
【００６６】
図８は、表示制御部２４ｄによる表示処理の一例を説明する図である。例えば、表示制御部２４ｄは、評価値が１０である画像を表示モニタ２０に表示させる際、表示枠Ｗの色を緑色にする。これにより、ユーザは、被写体のポーズ等の選択に集中しながらでも、表示枠Ｗの色でシャッタチャンスの選択を瞬時に可能とすることができる。或いは、ユーザは、表示モニタ２０に表示されているグラフを見ることにより、現在の画像の評価値を判別できるので、シャッタチャンスの選択を瞬時に可能とすることができる。なお、表示制御部２４ｄは、例えば、現在表示中の画像、及びそれに続く４枚分の画像の評価値の棒グラフを表示モニタ２０に順次表示させていく。一例として、表示制御部２４ｄは、図８に示す通り、現在表示中の画像が３枚目（ｎ＝３）の場合、その画像よりも後の時刻に取得された画像（ｎ＝４〜７）も含めて、３〜７枚目の画像（５枚分）の評価値の棒グラフを表示モニタ２０にさせる。
【００６７】
ステップＳ２０２：ＣＰＵ２４は、全押し時の撮影開始時刻を取得する。具体的には、ＣＰＵ２４は、ＣＰＵ２４内部の時計機能により撮影開始時刻を取得する。そして、ＣＰＵ２４は、ステップＳ２０３の処理に移行する。
【００６８】
ステップＳ２０３：ＣＰＵ２４は、撮影開始時刻に表示モニタ２０に表示していた画像を記録用の画像として選択する。つまり、ＣＰＵ２４は、スローライブモードのスロー再生処理と撮影処理とを独立に制御している。そのため、いわゆるレリーズタイムラグにより、表示モニタ２０に次の画像が表示されている場合が起こり得るので、ＣＰＵ２４は、撮影開始時刻に表示モニタ２０に表示していた画像を記録用の画像として選択する。ＣＰＵ２４は、記録用の画像を選択した後、ステップＳ２０４の処理に移行する。
【００６９】
ステップＳ２０４：ＣＰＵ２４は、ステップＳ２０３で選択した画像よりも評価値の高い画像が、前後の何れかの画像に存在するか否かを判定する。前後の何れかの画像に存在しない場合（ステップＳ２０４：Ｎｏ）、ＣＰＵ２４は、ステップＳ２０６の処理に移行する。一方、前後の何れかの画像に存在した場合（ステップＳ２０４：Ｙｅｓ）、ＣＰＵ２４は、ステップＳ２０５の処理に移行する。なお、ステップＳ２０４の処理では、前後の何れかの画像として１枚前の画像又は１枚後の画像としているが、例えば、マニュアル設定で数枚前までの画像から数枚後の画像としても良い。
【００７０】
ステップＳ２０５：ＣＰＵ２４は、評価値のより高い画像を記録用の画像に変更して選択する。これにより、ＣＰＵ２４は、より評価値の高い画像を記録用の画像として選択することができる。そして、ＣＰＵ２４は、ステップＳ２０６の処理に移行する。
【００７１】
ステップＳ２０６：ＣＰＵ２４の記録処理部２４ｅは、本画像（記録用の画像）の記録処理を行なう。具体的には、記録処理部２４ｅは、選択された記録用の画像データをスロー表示用バッファから読み出して、ＲＡＭ１６の作業領域にその画像データを一時的に記録する。続いて、画像処理部１７は、その画像データに対して各種の画像処理（例えば、色補間処理、ホワイトバランス等）を施す。記録処理部２４ｅは、各種の画像処理が施された後の画像を記録媒体３０に記録する。したがって、記録処理部２４ｅは、いわゆるレリーズタイムラグを回避して撮影開始時刻に表示モニタ２０に表示していた画像を記録用の画像として記録することができる。そして、ＣＰＵ２４は、図５に示すフローの処理を終了させる。
【００７２】
以上より、本実施形態の電子カメラ１では、スローライブ撮影において、例えば、現在表示中の画像の評価値の評価結果やその画像よりも後の時刻に取得された画像の各々の評価値の評価結果をユーザが表示モニタ２０で確認することができる。したがって、電子カメラ１では、スローライブ撮影において、スロー再生中に良い画像を予め知ることができるため、シャッタチャンスを逃さずに所望の画像を取得しやすくする手段を提供できる。
【００７３】
（実施形態の補足事項）
以下、上記の実施形態の補足事項について説明する。
【００７４】
（１）上記の実施形態において、評価値算出部２４ｃは、顔の状態の判定を行なったが、ぼけ状態の判定と、露出状態の判定と、顔の状態の判定とを行ない、総合評価を算出しても良い。これにより、ユーザは良好な画像を撮影しやすくなる。例えば、評価値算出部２４ｃは、ぼけ状態の判定においてピントが合っていれば、ＯＫの判定をする。また、評価値算出部２４ｃは、露出状態の判定において予め設定した閾値より明るい場合、ＯＫの判定をする。また、評価値算出部２４ｃは、顔の状態の判定において第１状態（瞼が開いた状態）であれば、ＯＫの判定をする。そして、評価値算出部２４ｃは、評価対象の３つのパラメータ（ぼけ状態、露出状態、顔の状態）に基づいて、総合評価を行なう。例えば、評価値算出部２４ｃは、総合評価の評価結果をＡ、Ｂ、Ｃの３段階でランク付けを行なう。評価値算出部２４ｃは、３つのパラメータが全てＯＫの場合には、総合評価としてＡの評価とする。或いは、評価値算出部２４ｃは、ぼけ状態及び露出状態がＯＫの判定であり、顔の状態が目を閉じていなければ、総合評価としてＢの評価とする。或いは、評価値算出部２４ｃは、ぼけ状態と露出状態との少なくとも一方が、ＯＫの判定でない場合には総合評価としてＣの評価とする。
【００７５】
図９は、表示制御部２４ｄによる表示処理の一例を説明する図である。表示制御部２４ｄは、一例として、現在表示中の画像に対して、表示モニタ２０に３つのパラメータの評価結果と総合評価の評価結果を表示するようにしても良い。これにより、ユーザは、被写体のポーズ等の選択に集中しながら総合評価を参照できるので、シャッタチャンスの画像の選択の判断を瞬時にすることができる。なお、評価値算出部２４ｃは、評価対象の３つのパラメータ（ぼけ状態、露出状態、顔の状態）の評価値を各々数値化して、合計した値を総合評価の値としても良い。
【００７６】
また、上記の実施形態において、評価値算出部２４ｃは、評価対象のパラメータとして、ぼけ状態、露出状態、顔の状態を取り上げたが、これらのパラメータに限られず、例えば、手ブレ状態等の他のパラメータを適宜加えても良い。
【００７７】
（２）上記の実施形態では、スローライブモードにおいて、表示制御部２４ｄの表示態様を図７〜図９に例示したが、視覚に訴える表示態様としては、上述した内容に限られず、他の表示態様であっても良い。
【００７８】
図１０は、表示制御部２４ｄによる表示処理の一例を説明する図である。図１０では、総合評価の評価結果を、４段階（Ａ〜Ｄ）に分類付けをしている。Ａは最も良好な画像であり、Ｂは良好な画像であり、Ｃはやや良好な画像であり、Ｄは撮影に不向きな画像である。なお、図１０では、各々異なる評価結果（Ａ〜Ｄ）に対応するマークで例示している。
【００７９】
ここで、評価値算出部２４ｃは、最も良好な画像の判定基準として、例えば、上述した評価対象の３つのパラメータ（ぼけ状態、露出状態、顔の状態）において、全てＯＫの判定に加え、顔認識部２４ｂが笑顔を認識することにより、笑顔である場合に最も良好な画像（Ａ）と判定する。なお、図１０におけるＢ〜Ｄの評価基準については、図９で上述した総合評価Ａ〜Ｃの評価基準にそれぞれ対応することとする。つまり、図１０のＢ（良好な画像）は、図９での総合評価Ａの評価基準と同様であり、図１０のＣ（やや良好な画像）は、図９での総合評価Ｂの評価基準と同様であり、図１０のＤ（撮影に不向きな画像）は、図９での総合評価Ｃの評価基準と同様である。また、図１０では、１０枚の画像の評価結果を表示モニタ２０に表示させることとする。すなわち、表示制御部２４ｄは、一例として、現在表示中の画像、及びそれに続く９枚分の画像の評価結果を示すマーク（１０枚分）を表示モニタ２０に順次表示させていく。なお、図１０では、説明をわかりやすくするため、マークの上に数字を表示させているが、表示制御部２４ｄは、これらの数字を表示させなくても良い。或いは、表示制御部２４ｄは、常に１０枚分のマークを表示させるという意味で、図１０（ｂ）、図１０（ｃ）においても、図１０（ａ）と同様にして、数字の１〜１０を表示させるようにしても良い。また、図１０では、説明の便宜上、Ａ〜Ｄの評価結果を示す文字を表示させているが、表示制御部２４ｄは、これらの文字を表示させなくても良い。
【００８０】
図１０（ａ）では、表示制御部２４ｄは、１枚目の画像を表示モニタ２０に表示させる。ユーザは、表示モニタ２０を見ることにより、撮影に不向きな画像であることが視覚的に分かる。なお、表示制御部２４ｄが撮影に不向きな画像を表示モニタ２０に表示させるのは、撮影に不向きな画像を間引くことにより動きが不連続になるのを避けるためである。
【００８１】
図１０（ｂ）では、表示制御部２４ｄは、３枚目の画像を表示モニタ２０に表示させる。ここで、ユーザは、表示モニタ２０に表示された現在表示中の画像のマークを見ることにより、撮影に良好な画像であることが視覚的に分かる。ただし、表示制御部２４ｄは、表示モニタ２０に最も良好な画像が７枚目（ｎ＝７）にあることをマークにより表示させているので、ユーザは、３枚目の画像に対して全押し操作を思い留まることができる。
【００８２】
図１０（ｃ）では、表示制御部２４ｄは、７枚目の画像を表示モニタ２０に表示させる。ここで、ユーザは、表示モニタ２０に表示された現在表示中の画像のマークや表示枠Ｗの色等を見ることにより、撮影に良好な画像であることが視覚的に分かる。そこで、ユーザは、７枚目の画像が表示モニタ２０に表示されている際、全押し操作をすれば良いことが分かる。したがって、本実施形態のスローライブモードでは、従来のスロー再生のように、ユーザが、もっと良い画像があることを期待してシャッタチャンスを待っていたものの、結局良い画像がなかったという問題を回避することができる。
【００８３】
なお、表示制御部２４ｄは、被写体の画像を全画面表示にして、評価結果を表示モニタ２０に重畳表示させるようにしても良い。
【００８４】
図１１は、表示制御部２４ｄによる表示処理の一例を説明する図である。図１１において、表示制御部２４ｄは、人物Ｐ１の被写体を全画面表示にして、図１０で示したＡからＤの評価結果を重畳表示させる。これにより、被写体が画面全体に表示されるので、表示制御部２４ｄは、被写体の視認性を向上させることができる。また、表示制御部２４ｄは、上記の通り、現在表示中の画像を含めて常にｎ枚（ｎは、表示処理に適した任意の枚数）先までの画像の評価結果を表示モニタ２０に表示させるようにしても良い。
【００８５】
（３）上記の実施形態では、スローライブモードにおいて、スロー再生の時間間隔（１コマのコマ送り時間）は一定であったが、これは一例であって、スロー再生の時間間隔をユーザ入力に応じて適宜変更しても良い。
【００８６】
図１２は、スローライブモードにおけるスロー再生の一例を説明する図である。図１２（ａ）は、スローライブモードにおける連写撮影で得られる画像を模式的に表している。この例において、ＣＰＵ２４は、２０ｆｐｓで２０枚の画像の連写撮影を行なう。画像取得部２４ａは、撮像素子１４が生成する２０枚の画像をＲＡＭ１６のスロー表示用バッファに記録する。
【００８７】
図１２（ｂ）は、スローライブモードにおけるスロー再生を模式的に表している。本実施形態では、スロー再生の操作部材として、例えば、図２に示す選択・決定釦２３ｅのダイヤル２３ｇを利用しても良い。例えば、ユーザがダイヤル２３ｇを時計回りに回転させた場合、表示制御部２４ｄは、現在表示中のスロー再生の時間間隔をより長くする。一方、ユーザがダイヤル２３ｇを反時計回りに回転させた場合、表示制御部２４ｄは、現在表示中のスロー再生の時間間隔をより短くする。
【００８８】
図１２（ｂ）において、表示制御部２４ｄは、初期設定において１秒間隔でスロー再生をする。ここで、ユーザがダイヤル２３ｇを時計回りに回転させた場合、表示制御部２４ｄは、現在表示中の１枚毎のスロー再生の時間間隔を１秒から２秒に長くする。
【００８９】
図１２（ｃ）は、９〜１２枚目の画像の被写体（人物Ｐ２）を例示している。例えば、評価値算出部２４ｃの評価結果が１２枚目の画像を最も良好な場合と判定した場合、表示制御部２４ｄは、１２枚目の画像を表示モニタ２０に表示する際、例えば表示枠の色を緑色に変化させてユーザに最も良好な画像であることを報知する。この際、現在表示中のスロー再生の時間間隔がスロー再生開始時よりも長くなっているので、ユーザはシャッタチャンスに全押し操作がしやすくなる。
【００９０】
（４）補足事項（３）において、スロー再生の操作部材として、ダイヤル２３ｇを利用したが、例えば、レリーズ釦を利用して、スロー再生の時間間隔を変化させても良い。
【００９１】
図１３は、レリーズ釦を利用した場合のスロー再生の概念図である。図１３（ａ）は、全押し操作までのスロー再生の概念図であり、図１３（ｂ）は全押し操作時の概念図である。ここでは、図１に示す電子カメラ１の構成において、レリーズ釦２２をスロー再生の操作可能なレリーズ釦２２ａで置き換える。また、レリーズ釦２２ａは、圧力センサ２７を介してＣＰＵ２４と接続されている。圧力センサ２７は、例えば、レリーズ釦２２ａを介して指の圧力を感圧素子で計測し、検知（電気）信号に変換しＣＰＵ２４に出力するセンサである。
【００９２】
ＣＰＵ２４は、検知信号を受信し、表示制御部２４ｄは、その検知信号に応じてスロー再生の時間間隔を変化させて、画像を表示モニタ２０に表示させる。
【００９３】
具体的には、ユーザの指Ｆがレリーズ釦２２ａを押し込むに伴い、圧力センサ２７の検知信号の値は現在の値から大きくなる。また、ユーザの指Ｆがレリーズ釦２２ａの押し込みを緩めた場合、圧力センサ２７の検知信号の値は現在の値から小さくなる（図１３（ａ）参照）。
【００９４】
したがって、ＣＰＵ２４は、レリーズ釦２２の押し込みに応じて、表示制御部２４ｄにスロー再生の時間間隔を制御する指示を出す。つまり、ユーザの指Ｆがレリーズ釦２２ａを押し込むに伴い、表示制御部２４ｄは、スロー再生の時間間隔を長くする。一方、ユーザの指Ｆがレリーズ釦２２ａの押し込みを緩めた場合、レリーズ釦２２ａが元の位置に戻るに従って、スロー再生が元の時間間隔になる構成とする。また、ＣＰＵ２４は、ユーザの指Ｆがレリーズ釦２２を完全に押し込んだときに全押し操作として記録用の画像の撮影の指示入力を受け付ける（図１３（ｂ）参照）。
【００９５】
なお、レリーズ釦２２ａは、半押し操作から全押し操作の間をスロー再生の操作可能なコントロールデバイスとしても良いし、或いは、レリーズ釦２２ａは、初期状態からユーザがレリーズ釦２２ａを完全に押し込んだ状態までをスロー再生の操作可能なコントロールデバイスとしても良い。このようなスロー再生の操作可能なレリーズ釦２２ａを用いることにより、ユーザはシャッタチャンスに全押し操作がしやすくなる。
【００９６】
（５）上記の実施形態では、評価値の算出処理は、図４に示す通り、読み出し（表示）時に行なったが、書き込み時（撮像時）に行なっても良い。
【００９７】
（６）上記の実施形態では、本発明の適用可能な撮像装置として、コンパクト方式の電子カメラを例示したが、この方式の電子カメラに限られず、例えば、一眼レフ方式の電子カメラ、デジタルビデオカメラ等の静止画及び動画をデジタル方式で撮影することができるカメラが含まれる。また、本発明の適用可能な撮像装置は、携帯電話機、携帯情報端末（ＰＤＡ：Ｐｅｒｓｏｎａｌ  Ｄｉｇｉｔａｌ  Ａｓｓｉｓｔａｎｔ）、その他の撮像機能を備える電子装置等も含まれる。
【符号の説明】
【００９８】
１・・・電子カメラ、１４・・・撮像素子、２４ａ・・・画像取得部、２４ｃ・・・評価値算出部、２４ｄ・・・表示制御部
【図１】
2013179548.tif 000003
【図２】
2013179548.tif 000004
【図３】
2013179548.tif 000005
【図４】
2013179548.tif 000006
【図５】
2013179548.tif 000007
【図６】
2013179548.tif 000008
【図７】
2013179548.tif 000009
【図８】
2013179548.tif 000010
【図９】
2013179548.tif 000011
【図１０】
2013179548.tif 000012
【図１１】
2013179548.tif 000013
【図１２】
2013179548.tif 000014
【図１３】
2013179548.tif 000015